(57)【特許請求の範囲】
【請求項１】
ＰＲＡＣＨ（Physical Random Access Channel）シーケンスを、ネットワーク装置に送信したのち、Ｘを示すタイミングアドバンスコマンドを含むランダムアクセス応答を、前記ネットワーク装置から受信し、
アップリンクフレームを、該アップリンクフレームに対応するダウンリンクフレームの開始よりも{（前記Ｘ＋Ｙ）×Ｚ}早く、送信開始し、
前記Ｘは、サブキャリア間隔の値に反比例し、
前記サブキャリア間隔の値は、120kHzまたは240kHzであり、
前記Ｙは、固定のオフセット値であり、
前記Ｚは、サブキャリア間隔に基づくタイムユニット値である、
端末。
【請求項２】
前記サブキャリア間隔の値は、15kHz、30kHz、60kHz、120kHzおよび240kHzのいずれかである、
請求項１に記載の端末。
【請求項３】
（前記Ｘ×前記Ｚ）は、（240 × タイムユニット値）の倍数である、
請求項１または２に記載の端末。
【請求項４】
ＰＲＡＣＨ（Physical Random Access Channel）シーケンスを、端末から受信したのち、Ｘを示すタイミングアドバンスコマンドを含むランダムアクセス応答を、前記端末に送信し、
前記端末により対応するダウンリンクフレームの開始よりも{（前記Ｘ＋Ｙ）×Ｚ}早く送信開始されたアップリンクフレームを受信し、
前記Ｘは、サブキャリア間隔の値に反比例し、
前記サブキャリア間隔の値は、120kHzまたは240kHzであり、
前記Ｙは、固定のオフセット値であり、
前記Ｚは、サブキャリア間隔に基づくタイムユニット値である、
ネットワーク装置。
【請求項５】
前記サブキャリア間隔の値は、15kHz、30kHz、60kHz、120kHzおよび240kHzのいずれかである、
請求項４に記載のネットワーク装置。
【請求項６】
（前記Ｘ×前記Ｚ）は、（240 × タイムユニット値）の倍数である、
請求項４または５に記載のネットワーク装置。
【請求項７】
ＰＲＡＣＨ（Physical Random Access Channel）シーケンスを送信したのち、Ｘを示すタイミングアドバンスコマンドを含むランダムアクセス応答を受信し、
アップリンクフレームを、該アップリンクフレームに対応するダウンリンクフレームの開始よりも{（前記Ｘ＋Ｙ）×Ｚ}早く、送信開始し、
前記Ｘは、サブキャリア間隔の値に反比例し、
前記サブキャリア間隔の値は、120kHzまたは240kHzであり、
前記Ｙは、固定のオフセット値であり、
前記Ｚは、サブキャリア間隔に基づくタイムユニット値である、
方法。
【請求項８】
ＰＲＡＣＨ（Physical Random Access Channel）シーケンスを受信したのち、
Ｘを示すタイミングアドバンスコマンドを含むランダムアクセス応答を、端末に送信し、
前記端末により対応するダウンリンクフレームの開始よりも{（前記Ｘ＋Ｙ）×Ｚ}早く送信開始されたアップリンクフレームを受信し、
前記Ｘは、サブキャリア間隔の値に反比例し、
前記サブキャリア間隔の値は、120kHzまたは240kHzであり、
前記Ｙは、固定のオフセット値であり、
前記Ｚは、サブキャリア間隔に基づくタイムユニット値である、
方法。
【請求項９】
前記サブキャリア間隔の値は、15kHz、30kHz、60kHz、120kHzおよび240kHzのいずれかである、
請求項７または８に記載の方法。
【請求項１０】
（前記Ｘ×前記Ｚ）は、（240 × タイムユニット値）の倍数である、
請求項７から９のいずれか１項に記載の方法。
【発明の詳細な説明】
【技術分野】
【０００１】
本開示の実施形態は、概して、電気通信の分野に関し、特に、タイミングアドバンス調整のための方法および装置に関する。
【背景技術】
【０００２】
通信技術の開発に伴い、複数のタイプのサービスまたはトラフィックが提案されており、それは、たとえば、一般に高いデータレートを必要とする拡張モバイルブロードバンド（eMBB :  enhanced mobile broadband）、通常は長いバッテリー寿命を必要とする大容量マシンタイプ通信（mMTC : massive machine type communication）、および、超高信頼性および低遅延通信（URLLC : ultra-reliable and low latency communication）である。一方、複数のサブキャリア間隔値（multiple subcarrier spacing values）、および、対応するフレーム構造は、さまざまなシナリオの新無線アクセス（NR : new radio access）で合意されている。具体的には、物理ランダムアクセスチャネル（PRACH : Physical Random Access Channel）およびZadoff-Chu（ZC）シーケンスタイプについて、複数のサブキャリア間隔値を持つ２つのシーケンス長がサポートされることが同意されている。
【０００３】
従来、端末デバイス（例えば、ユーザ機器）からのアップリンク送信は、調整される必要がある。端末デバイスからのアップリンク無線フレームの送信は、対応するダウンリンク無線フレームの開始前の期間に開始する必要があり、これにより、ネットワークデバイスにおいて異なる端末デバイスからのアップリンク信号の受信時間が調整されて、アップリンクの直交性（uplink orthogonality）が保証され且つセル内干渉（intra-cell interference）が低減される。たとえば、ネットワークデバイス（eNBなど）からタイミングアドバンスコマンド（timing advance command）を受信すると、端末デバイスは、物理アップリンク制御チャネル（PUCCH : Physical Uplink Control Channel）、物理アップリンク共有チャネル（PUSCH : Physical Uplink Shared Channel）、および／または、サウンディング基準信号（SRS : Sounding Reference Signal）についてのアップリンク送信タイミングを調整する。タイミングアドバンスコマンドは、アップリンク送信のタイミングを調整するためのタイミングアドバンス値を示してもよい。しかしながら、タイミングアドバンスコマンドによって示されるタイミングアドバンス値は、通常、固定時間単位（fixed time unit）、および、PRACHのサブキャリア間隔の固定値に基づいている。これは、NRでサポートされる複数のサブキャリア間隔の値には適さない可能性がある。
【発明の概要】
【０００４】
概して、本開示の例示的な実施形態は、ＲＳ送信のための方法および装置を提供する。
【０００５】
第１の態様では、ネットワークデバイスで実施される方法が提供される。この方法によれば、ネットワークデバイスによってサービスされる端末デバイスからの物理ランダムアクセスチャネル（PRACH）シーケンスの受信に応答して、タイミングアドバンスの調整を示す第１値が、PRACHシーケンス、および、サブキャリア間隔の少なくとも１つの値に基づいて決定される。上記の第１値の指示は、端末デバイスがアップリンク送信のタイミングを調整できるようにするために、端末デバイスに送信される。
【０００６】
第２の態様では、端末デバイスで実施される方法が提供される。この方法によれば、物理ランダムアクセスチャネル（PRACH）シーケンスがネットワークデバイスに送信される。タイミングアドバンスの調整を示す第１値の指示をネットワークデバイスから受信すると、第１値が、アップリンク送信のタイミングを調整するために、取得される。この第１値は、上記のPRACHシーケンス、および、サブキャリア間隔の少なくとも１つの値に基づいて、ネットワークデバイスによって決定される。
【０００７】
第３の態様では、ネットワークデバイスが提供される。ネットワークデバイスは、プロセッサと、プロセッサに接続されたメモリとを有している。メモリは、プロセッサによって実行されるとネットワークデバイスにアクションを実行させる命令を格納している。これらのアクションは、ネットワークデバイスがサービスを提供する端末デバイスから物理ランダムアクセスチャネル（PRACH）シーケンスを受信することに応じて、PRACHシーケンスおよび少なくとも１つのサブキャリア間隔の値に基づいて、タイミングアドバンスの調整を示す第１値を決定すること、および、端末デバイスがアップリンク送信のタイミングを調整できるようにするために、端末デバイスに第１値の指示を送信すること、を含む。
【０００８】
第４の態様では、端末デバイスが提供される。端末デバイスは、プロセッサと、プロセッサに接続されたメモリとを有している。メモリは、プロセッサによって実行されるとネットワークデバイスにアクションを実行させる命令を格納している。アクションは、物理ランダムアクセスチャネル（PRACH）シーケンスをネットワークデバイスへ送信すること、および、タイミングアドバンスの調整を示す第１値の指示をネットワークデバイスから受信することに応答して、アップリンク送信のタイミングを調整するために第１値を取得すること、を含み、第１値は、PRACHシーケンス、および、サブキャリア間隔の少なくとも１つの値に基づいてネットワークデバイスによって決定される。
【０００９】
本開示の他の特徴は、以下の説明を通して容易に理解可能になるであろう。
【図面の簡単な説明】
【００１０】
添付の図面における本開示のいくつかの実施形態のより詳細な説明を通じて、本開示の上記および他の目的、特徴、および利点がより明らかになるであろう。
【００１１】
【図１】図１は、本開示の実施形態が実装され得る通信環境のブロック図である。
【００１２】
【図２】図２は、本開示のいくつかの実施形態によるタイミングアドバンス調整のためのプロセスを示すフローチャートである。
【００１３】
【図３Ａ】図３Ａは、本開示の一実施形態による、Ｎｓａｍｐｌｅの値を決定する例を示す図である。
【００１４】
【図３Ｂ】図３Ｂは、本開示のいくつかの実施形態による、サブキャリア間隔の基準値を決定する例を示す図である。
【図３Ｃ】図３Ｃは、本開示のいくつかの実施形態による、サブキャリア間隔の基準値を決定する例を示す図である。
【００１５】
【図４Ａ】図４Ａは、本開示のいくつかの実施形態による、第２の複数のサブセットに基づいてサブキャリア間隔ＳＢの第２値を構成（設定）する例を示す図である。
【図４Ｂ】図４Ｂは、本開示のいくつかの実施形態による、第２の複数のサブセットに基づいてサブキャリア間隔ＳＢの第２値を構成（設定）する例を示す図である。
【００１６】
【図５Ａ】図５Ａは、本開示のいくつかの実施形態による、第２の複数のサブセットに基づいてサブキャリア間隔ＳＡの第１値を構成（設定）する例を示す図である。
【図５Ｂ】図５Ｂは、本開示のいくつかの実施形態による、第２の複数のサブセットに基づいてサブキャリア間隔ＳＡの第１値を構成（設定）する例を示す図である。
【００１７】
【図６Ａ】図６Ａは、本開示のいくつかの実施形態による、所定の第２のセットに基づいて送信サブキャリア間隔の異なる複数の値を構成（設定）する例を示す図である。
【図６Ｂ】図６Ｂは、本開示のいくつかの実施形態による、所定の第２のセットに基づいて送信サブキャリア間隔の異なる複数の値を構成（設定）する例を示す図である。
【００１８】
【図７】図７は、本開示の一実施形態による、異なるユースケースのための、サブキャリア間隔の複数の値の所定の第２のセットの異なる複数のサブセットおよび／または異なるＰＲＡＣＨシーケンス長を構成（設定）する例を示す図である。
【００１９】
【図８Ａ】図８Ａは、本開示の一実施形態による、ビーム障害レポート（beam failure report）のためのＰＲＡＣＨ送信の例を示す図である。
【図８Ｂ】図８Ｂは、本開示の一実施形態による、ビーム障害レポート（beam failure report）のためのＰＲＡＣＨ送信の例を示す図である。
【００２０】
【図９】図９は、本開示のいくつかの実施形態による例示的な方法のフローチャートを示す図である。
【００２１】
【図１０】図１０は、本開示のいくつかの実施形態による例示的な方法のフローチャートを示す図である。
【００２２】
【図１１】図１１は、本開示のいくつかの実施形態によるネットワークデバイスのブロック図である。
【００２３】
【図１２】図１２は、本開示のいくつかの実施形態による端末デバイスのブロック図である。
【００２４】
【図１３】図１３は、本開示の実施形態を実施するのに適したデバイスの簡略化されたブロック図である。
【００２５】
図面を通して、同じまたは類似の参照番号は、同じまたは類似の要素を表す。
【発明を実施するための形態】
【００２６】
ここで、本開示の主題は、いくつかの例示的な実施形態を参照して説明される。これらの実施形態は、本開示の範囲に対するいかなる限定を示唆するのではなく、当業者が本開示をよりよく理解して実施することを可能にする、目的でのみ説明されることを理解されたい。ここに記述される開示は、以下で説明されるもの以外の様々な方法で実装され得る。
【００２７】
以下の説明および特許請求の範囲において、他に定義されない限り、本明細書で使用されるすべての技術用語および科学用語は、本開示が属する技術分野の当業者によって一般に理解されるものと同じ意味を有する。
【００２８】
本明細書で使用される「ネットワークデバイス」または「基地局」（ＢＳ）という用語は、端末デバイスが通信できるセルまたはカバレッジを提供できるまたはホストできる、デバイスを指す。ネットワークデバイスの例には、これに限定されるものではないが、Node B（NodeBまたはNB）、Evolved NodeB（eNodeBまたはeNB）、次世代NodeB（gNB）、Remote Radio Unit（RRU）、radio head（RH）、リモート無線ヘッド（RRH）、および、フェムトノード、ピコノードなどの低電力ノードが含まれる。議論の目的のために、以下では、ネットワークデバイスの例としてgNBを参照していくつかの実施形態を説明する。
【００２９】
本明細書で使用される「端末デバイス」という用語は、無線または有線の通信機能を有する任意の装置を指す。端末デバイスの例には、これに限定されるものではないが、ユーザ機器（UE）、パーソナルコンピュータ、デスクトップ、モバイルフォン、セルラフォン、スマートフォン、携帯情報端末（PDA）、ポータブルコンピュータ、デジタルカメラなどの画像キャプチャデバイス、ゲームデバイス、音楽ストレージおよび再生アプライアンス、または、無線または有線のインターネットアクセスおよびブラウジングなどを可能にするインターネットアプライアンスを含む。議論の目的のために、以下では、端末デバイスの例としてUEを参照していくつかの実施形態を説明する。
【００３０】
本明細書で使用される単数形「ａ」、「ａｎ」および「ｔｈｅ」は、文脈がそうでないことを明確に示さない限り、複数形も含むことを意図している。「含む」という用語とその変形は、「含むが、これに限定されない」を意味するオープンな用語として読まれる。「に基づいて」という用語は、「少なくとも部分的に基づいて」として読まれる。「一実施形態」および「実施形態」という用語は、「少なくとも１つの実施形態」として読まれる。「別の実施形態」という用語は、「少なくとも１つの他の実施形態」と読まれる。用語「第１」、「第２」および同種のものは、異なるオブジェクトまたは同じオブジェクトを指していてもよい。明示的および暗黙的なその他の定義を以下に含めることができる。
【００３１】
いくつかの例では、複数の値、複数の手順、または、複数の装置は、「最良」、「最低」、「最高」、「最小」、「最大」などと呼ばれる。そのような説明は、多くの使用される機能的選択肢の中から選択できることを示すことを意図しており、そのような選択は、他の選択よりも、良い、小さい、高い、またはそうでなければ好ましい、必要はないことが理解されよう。
【００３２】
本開示で議論される通信は、これに限定されるものではないが、新無線アクセス（ＮＲ）、ロングタームエボリューション（ＬＴＥ）、ＬＴＥエボリューション、ＬＴＥアドバンスト（ＬＴＥ−Ａ）、広帯域符号分割多元接続（WCDMA（登録商標））、符号分割多元接続（CDMA）、および、移動体通信用グローバルシステム（GSM（登録商標））などを含む、任意の適切な規格に準拠し得る。さらに、その通信は、現在知られているか又は将来開発されるいずれかの世代の通信プロトコルに従って実行されてもよい。通信プロトコルの例には、これに限定されるものではないが、第１世代（1G）、第２世代（2G）、2.5G、2.75G、第３世代（3G）、第４世代（4G）、4.5G、第５世代（5G）の通信プロトコルが含まれる。
【００３３】
図１は、本開示の実施形態が実装され得る例示的な通信ネットワーク１００を示す。ネットワーク１００は、ネットワークデバイス１１０と、ネットワークデバイス１１０によってサービスされる３つの端末デバイス１２０−１、１２０−２、および１２０−３（まとめて端末デバイス１２０と呼ばれるか、または個々に端末デバイス１２０と呼ばれる）とを含む。ネットワークデバイス１１０のカバレッジは、セル１０２とも呼ばれる。基地局および端末デバイスの数は、制限を示唆することなく、例示のみを目的とすることを理解されたい。ネットワーク１００は、本開示の実施形態を実施するように適合された任意の適切な数の基地局および端末デバイスを含むことができる。図示されていないが、セル１０２に隣接する１つ以上の隣接するセルが存在し得、１つ以上の対応するネットワークデバイスが、そこに位置する多数の端末デバイスにサービスを提供することが理解されであろう。
【００３４】
ネットワークデバイス１１０は、端末デバイス１２０と通信することができる。ネットワーク１００における通信は、これらに限定されないが、ロングタームエボリューション（LTE）、ＬＴＥエボリューション、ＬＴＥアドバンスト（LTE-A）、広帯域符号分割多元接続（WCDMA（登録商標））、符号分割多元接続（CDMA）、およびモバイル通信用グローバルシステム（GSM（登録商標））などを含む、任意の適切な規格に準拠し得る。さらに、この通信は、現在知られているか又は将来開発されるいずれかの世代の通信プロトコルに従って実行されてもよい。通信プロトコルの例には、これらに限定されるものではないが、第１世代（1G）、第２世代（2G）、2.5G、2.75G、第３世代（3G）、第４世代（4G）、4.5G、第５世代（5G）の通信プロトコルが含まれる。
【００３５】
ネットワークデバイス１１０への初期アクセスのために、端末デバイス１２０は、ＰＲＡＣＨプリアンブルシーケンスをネットワークデバイス１１０に送信することができる。ＰＲＡＣＨシーケンスの例は、これに限定されないが、Ｚａｄｏｆｆ−Ｃｈｕ（ZC）シーケンスなどを含んでいてもよい。ネットワークデバイス１１０は、アップリンクＰＲＡＣＨプリアンブルシーケンスを測定し、タイミングアドバンス値を決定してもよい。タイミングアドバンス値は、端末デバイス１２０からのアップリンク無線フレームの送信が、対応するダウンリンク無線フレームの開始前の期間に開始すべきである、ことを示していてもよい。ネットワークデバイス１１０は、ランダムアクセス応答（RAR : Random Access Response）においてタイミングアドバンスコマンドを搬送して、タイミングアドバンス値を示してもよい。ネットワークデバイス１１０からタイミングアドバンスコマンドを受信すると、端末デバイス１２０は、そのタイミングアドバンス値に基づいて、物理アップリンク制御チャネル（PUCCH）、物理アップリンク共有チャネル（PUSCH）および／またはサウンディング基準信号（SRS）についての、アップリンク送信のタイミングを調整する。
【００３６】
初期アクセス以外の他のケースでは、タイミングアドバンスコマンドは、ネットワークデバイス１１０から端末デバイス１２０に送信されてもよい。このタイミングアドバンスコマンドは、アップリンク送信の現在のタイミングに対する、アップリンク送信のタイミングの変化を示す、タイミングアドバンス値を含んでいてもよい。すなわち、タイミングアドバンスコマンドに含まれるタイミングアドバンス値は、現在のタイミングアドバンス値の新しいタイミングアドバンス値への調整を示していてもよい。具体的には、周期的なタイミングアドバンスコマンドに含まれるタイミングアドバンス値は、それぞれアップリンク送信のタイミングを対応する量だけ進めるまたは遅らせることを示す、正または負の量であってもよい。
【００３７】
ネットワークデバイス１１０によって示されるタイミングアドバンス値は、通常、時間単位（Timing unit）Ｔｓに基づいている。時間単位Ｔｓは、時間領域における２つの隣接するサンプル間の時間間隔を示していてもよい。したがって、時間単位Ｔｓは、Ｔｓ＝１／（Ｓ*Ｎｓａｍｐｌｅ）として決定されてもよく、ここで、Ｓは、サブキャリア間隔の値を表し、Ｎｓａｍｐｌｅは、固定値であってもよい。たとえば、Ｎｓａｍｐｌｅは、１つのシンボルにおけるまたは巡回プレフィックス（CP）を除く１つのシンボルにおけるサンプル数などの、或る期間におけるサンプル数または逆高速フーリエ変換（IFFT）サイズを表してもよい。たとえば、ＬＴＥシステムでは、時間単位Ｔｓは、通常、固定のサブキャリア間隔（たとえば、15 kHz）に基づいており、このため、時間単位Ｔｓも、固定されている（たとえば、Ｔｓ＝1/（15000×2048）秒）。さらに、ＬＴＥシステムでは、タイミングアドバンス値は、（１６＊Ｔｓ）の倍数である。すなわち、ＬＴＥシステムでのタイミングアドバンス調整の粒度は、（１６＊Ｔｓ）である。
【００３８】
上述したように、複数のサブキャリア間隔値および対応するフレーム構造は、異なるシナリオについてＮＲで合意されている。具体的には、ＺＣベースのPRACHシーケンスについて、複数のサブキャリア間隔値を持つ２つのシーケンス長がサポートされることに同意されている。たとえば、ＮＲでは、PRACHシーケンスの長さは、{1.25, 2.5, 5}kHzから選択されたサブキャリア間隔の値では、８３９を含んでいてもよい。PRACHシーケンスの長さは、{15, 30, 60, 120, 240}kHzから選択されたサブキャリア間隔の値では、６３または７１を含んでもよく、PRACHシーケンスの長さは、{7.5, 15, 30, 60, 120}kHzから選択されたサブキャリア間隔の値では、１２７または１３９を含んでいてもよい。したがって、たとえば、固定時間単位およびサブキャリア間隔の固定値に基づくタイミングアドバンス値は、ＮＲでサポートされる複数のサブキャリア間隔値に適さない可能性がある。
【００３９】
上記の問題および他の潜在的な問題の１つ以上を解決するために、本開示の例示的な実施形態に従って、タイミングアドバンス調整のためのソリューションが提供される。このソリューションでは、サブキャリア間隔の異なる複数の値に基づく異なる粒度が提供され得る。さらに、ＮＲにおけるＰＲＡＣＨについての、サブキャリア間隔値および／またはシーケンス長の異なるサブセットが、送信サブキャリア間隔の異なる値および／または異なるユースケースに関連付けられるように、定義され得る。したがって、本開示の実施形態によるソリューションは、アップリンク送信のタイミングをより正確に調整することができる。
【００４０】
本開示の原理および実装は、本開示のいくつかの実施形態によるタイミングアドバンス調整のためのプロセス２００を示す図２を参照して以下で詳細に説明される。議論の目的のために、プロセス２００は、図１を参照して説明される。プロセス２００は、ネットワークデバイス１１０と、ネットワークデバイス１１０によってサービスされる１つ以上の端末デバイス１２０とを含み得る。
【００４１】
端末デバイス１２０は、ＰＲＡＣＨシーケンスをネットワークデバイス１１０に送信する（２１０）。例えば、ＰＲＡＣＨシーケンスの例には、Ｚａｄｏｆｆ−Ｃｈｕ（ZC）シーケンスなどが含まれ得るが、これらに限定されない。一実施形態では、ＰＲＡＣＨシーケンスの長さは、｛８３９、７１または６３｝または｛８３９、１３９または１２７｝から選択されてもよい。したがって、ＰＲＡＣＨ送信のサブキャリア間隔の値は、{1.25, 2.5, 5, 15, 30, 60, 120, 240}kHzまたは{1.25, 2.5, 5, 7.5, 15, 30, 60, 120}kHzから選択することができる。
【００４２】
端末デバイス１２０からＰＲＡＣＨシーケンスを受信することに応答して、ネットワークデバイス１１０は、ＰＲＡＣＨシーケンスおよび少なくとも１つのサブキャリア間隔の値に基づいて、タイムアドバンスの調整を示す第１値を決定する（２２０）。
【００４３】
一実施形態では、上記の第１値（ＴＡで表される）は、時間領域における２つの隣接サンプル間の時間間隔を示す時間単位（Ｔｓで表され、また、「第２値」とも呼ばれる）、および、タイミングアドバンス調整についての粒度パラメータ（Ｎｔで表される）に基づいて、決定されてもよい。ＴｓとＮｔとの積は、タイミングアドバンス調整についての粒度（「第３値」とも呼ばれる）を定義していてもよい。
【００４４】
一実施形態では、時間単位Ｔｓは、サブキャリア間隔の基準値と固定値とに基づいて決定されてもよく、サブキャリア間隔の基準値は、Ｓｒで表されてもよい。一実施形態では、この固定値は、ＩＦＦＴサイズ、または、一定期間のサンプルの数であってもよい。たとえば、この固定値は、時間領域での１つのシンボルにおけるまたはＣＰを除く１つのシンボルにおけるサンプル数であってもよい。固定値がＮｓａｍｐｌｅで表される場合、時間単位Ｔｓは、Ｔｓ＝１／（Ｓｒ * Ｎｓａｍｐｌｅ）として決定されてもよい。
【００４５】
一実施形態では、サブキャリア間隔Ｓｒの基準値は、ダウンリンク送信および／またはアップリンク送信のサブキャリア間隔の値などの、送信サブキャリア間隔を示す値（「第４値」とも呼ばれる）に基づいて決定されてもよい。一実施形態では、ダウンリンク送信および／またはアップリンク送信のサブキャリア間隔の値は、Ｓｔによって表されてもよく、これは、サブキャリア間隔の複数の値のセット（「所定の第１のセット」とも呼ばれる）に含まれてもよい。
例えば、その所定の第１のセットは、{3.75, 15, 30, 60, 120, 240, 480}kHz、または、{15, 30, 60, 120, 240, 480}kHzであってもよい。一実施形態では、サブキャリア間隔Ｓｒの基準値は、所定の第１のセットのサブセットから選択されてもよい。具体的には、一実施形態では、サブキャリア間隔Ｓｒの基準値は、送信サブキャリア間隔Ｓｔの値に決定されてもよい。別の実施形態では、サブキャリア間隔Ｓｒの基準値は、固定値であってもよい。例えば、その基準値は、１５ｋＨｚ、１２０ｋＨｚ、または４８０ｋＨｚなどの、サブキャリア間隔の値のセット（例えば、上記の所定の第１のセット）からの１つの値であってもよい。
【００４６】
一実施形態では、Ｎｓａｍｐｌｅは、固定値であってもよい。たとえば、Ｎｓａｍｐｌｅは、ＩＦＦＴサイズまたは一定期間のサンプル数であってもよい。たとえば、その固定値は、時間領域での１つのシンボルにおけるまたはＣＰを除く１つのシンボルにおけるサンプル数であってもよい。
【００４７】
別の実施形態では、Ｎｓａｍｐｌｅの値は、サブキャリア間隔の少なくとも１つの値、または、サブキャリアの数の少なくとも１つの値に基づいて、決定されてもよい。たとえば、Ｎｓａｍｐｌｅの値は、システム帯域幅（system bandwidth）、サブキャリアの数、および／または、サポートされているサブキャリア間隔の値に基づいて、定義されてもよい。例えば、そのサブキャリア間隔の値は、ダウンリンク送信および／またはアップリンク送信のサブキャリア間隔Ｓｔ、ＰＲＡＣＨ送信のサブキャリア間隔Ｓｐ、および、参照のサブキャリア間隔Ｓｒのいずれかであってもよい。
【００４８】
一実施形態では、Ｎｓａｍｐｌｅは、サブキャリアの数以上の値になるように、定義されてもよい。たとえば、Ｎｓａｍｐｌｅの値は、２ｎの最小値であってもよく、ここで、２ｎは、サブキャリアの数以上である。一実施形態では、そのサブキャリアの数の値は、サブキャリア間隔の値および／またはサブキャリア間隔の値の下のシステム帯域幅に基づいてもよい。例えば、そのサブキャリアの数の値は、サブキャリア間隔の値に基づいて構成（設定）されたシステム帯域幅の下でサポートされる、サブキャリアの数であってもよい。別の例では、そのサブキャリアの数の値は、サブキャリア間隔の１つの値に基づいてサポートされる最大システム帯域幅の下でサポートされる、サブキャリアの最大数であってもよい。具体的には、一実施形態では、Ｎｓａｍｐｌｅの値は、２ｎの最小値であると定義されてもよく、ここで、２ｎは、サポートされるサブキャリアの最大数以上である。たとえば、サポートされているサブキャリアの最大数がｍで表される場合、ｎの値は、ceil（log2 m）で決定されてもよい。
【００４９】
一実施形態では、サブキャリア間隔の複数の値のセットは、ダウンリンクおよび／またはアップリンク送信のため、ＰＲＡＣＨ送信のため、および、参照のため、のいずれかの目的のために、事前に定義されてもよい。別の実施形態では、サブキャリア間隔の複数の値の複数のサブセットは、サブキャリア間隔の複数の値の事前定義されたセットから選択されてもよい。
例えば、その複数のサブセットは、少なくとも部分的に互いに重複している若しくは互いに分けられていてもよく、または、そのサブセットは、サブキャリア間隔の複数の値の事前定義されたセットにおいて連続的若しくは不連続的であってもよい。例えば、各サブセットは、サブキャリア間隔の複数の値の事前定義されたセットからの、１つまたは複数の値を含んでいてもよい。サブキャリア間隔の値のサブセットごとに、Ｎｓａｍｐｌｅの値は、固定されてもよい。たとえば、サブキャリア間隔の値の異なる複数のサブセットについて、Ｎｓａｍｐｌｅの値は、異なっていてもよい。別の実施形態では、Ｎｓａｍｐｌｅの値は、その事前定義されたセットにおけるサブキャリア間隔の異なる複数の値について、異なっていてもよい。
【００５０】
図３Ａは、本開示の実施形態による、サブキャリア間隔の値の所定のセットに基づいてＮｓａｍｐｌｅの値を決定する例を示す。図３Ａに示すように、サブキャリア間隔の複数の値のセット３１０は、ダウンリンクおよび／またはアップリンク送信のため、ＰＲＡＣＨ送信のため、および、参照のため、のいずれかの目的のために、事前定義されてもよい。示されるように、所定のセット３１０は、{S1, S2, S3, S4 …, SQ-1, SQ}Hzであってもよく、ここで、Ｑは、整数であり、Ｑ≧１である。その所定のセット３１０は、Ｌ個のサブセット（Ｌ≧１）に分割されてもよい。j番目のサブセット３１０ｊについて、Ｎｓａｍｐｌｅの値は、Ｎｊに固定されてもよく、ここで、ｊは、サブセットのインデックスであり、ｊ＝1, 2, … , Lである。別の実施形態では、サブキャリア間隔の値のセット（例えば、セット３１０）は、サブセットに分割されなくてもよく、または、Ｌ＝１であってもよい。この場合、Ｎｓａｍｐｌｅの値は、単一の値に固定されてもよい。別の実施形態では、値Ｎｓａｍｐｌｅは、そのセットにおけるサブキャリア間隔の複数の値のそれぞれについてのそれぞれの値に固定されてもよい。
【００５１】
一実施形態では、粒度パラメータＮｔは、サブキャリア間隔の第１値ＳＡおよびサブキャリア間隔の第２値ＳＢに基づいて、決定されてもよい。一実施形態では、第１値ＳＡは、ＰＲＡＣＨ送信のサブキャリア間隔を示す値（Ｓｐによって表され、また、「第５値」とも呼ばれる）を含んでいてもよく、第２値ＳＢは、送信サブキャリア間隔の値Ｓｔを含んでいてもよい。一実施形態では、その値Ｓｐは、サブキャリア間隔の複数の値のセット（「所定の第２のセット」とも呼ばれる）に含まれていてもよい。たとえば、ＮＲでは、その所定の第２のセットは、{1.25, 2.5, 5, 15, 30, 60, 120, 240}kHz、または、{1.25, 2.5, 5, 7.5, 15, 30, 60, 120}kHzであってもよい。
【００５２】
一実施形態では、サブキャリア間隔の第１値ＳＡおよび第２値ＳＢを決定すると、粒度パラメータＮｔは、Ｎｔ＝ＳＢ／ＳＡとして決定されてもよい。そして、タイミングアドバンス調整の粒度は、（ＳＢ／ＳＡ）＊Ｔｓとして決定されてもよい。この場合、タイムアドバンスの調整を示す第１値ＴＡは、（ＳＢ／ＳＡ）＊Ｔｓの倍数であると決定されてもよい。
【００５３】
別の実施形態では、サブキャリア間隔の第１値ＳＡおよび第２値ＳＢを決定すると、粒度パラメータＮｔは、Ｎｔ＝ｍａｘ（ＳＢ／ＳＡ，１）として決定されてもよい。そして、タイミングアドバンス調整の粒度Ｎｔは、ｍａｘ（ＳＢ／ＳＡ，１）＊Ｔｓとして決定されてもよい。この場合、タイムアドバンスの調整を示す第１値ＴＡは、ｍａｘ（ＳＢ／ＳＡ，１）＊Ｔｓの倍数であると決定されてもよい。
【００５４】
一実施形態では、粒度パラメータＮｔを決定するためのサブキャリア間隔の第１値ＳＡおよび第２値ＳＢと、サブキャリア間隔の基準値Ｓｒとは、互いに独立していてもよい。たとえば、いくつかのケースでは、サブキャリア間隔の基準値Ｓｒは、送信サブキャリア間隔の値Ｓｔと同じであってもよく、時間単位Ｔｓは、送信サブキャリア間隔の値Ｓｔに基づいて決定されてもよい。すなわち、Ｔｓ＝１／（Ｓｔ * Ｎｓａｍｐｌｅ）である。タイミングアドバンス調整の粒度は、（ＳＢ／ＳＡ）＊Ｔｓ、または、ｍａｘ（ＳＢ／ＳＡ，１）＊Ｔｓとして、決定されてもよい。
【００５５】
一実施形態では、サブキャリア間隔の所与の第２値ＳＢについて、サブキャリア間隔の第１値ＳＡは、サブキャリア間隔の所与の第２値ＳＢより大きくないので、タイミングアドバンス調整の粒度は、（ＳＢ／ＳＡ）＊Ｔｓとして決定されてもよい。この場合、タイムアドバンスの調整を示す第１値ＴＡは、（ＳＢ／ＳＡ）＊Ｔｓの倍数であると決定されてもよい。
【００５６】
一実施形態では、サブキャリア間隔の第２値ＳＢは、ダウンリンクおよび／またはアップリンク送信のための送信サブキャリア間隔の値Ｓｔを含んでいてもよく、サブキャリア間隔の第１値ＳＡは、ＰＲＡＣＨ送信のためのサブキャリア間隔の値Ｓｐを含んでいてもよい。この場合、送信サブキャリア間隔の所与の値Ｓｔについて、ＰＲＡＣＨ送信のサブキャリア間隔の値Ｓｐは、その送信サブキャリア間隔の所与の値より大きくない可能性があるため、タイミングアドバンス調整の粒度は、（Ｓｔ／Ｓｐ）＊Ｔｓとして決定されてもよい。この場合、タイミングアドバンスの調整を示す第１値ＴＡは、（Ｓｔ／Ｓｐ）＊Ｔｓの倍数であると決定されてもよい。別の実施形態では、時間単位Ｔｓは、ＰＲＡＣＨ送信のためのサブキャリア間隔の値Ｓｐに基づいて決定されてもよい。すなわち、Ｔｓ＝１／（Ｓｐ * Ｎｓａｍｐｌｅ）である。タイミングアドバンス調整の粒度は、（ＳＢ／ＳＡ）＊Ｔｓに決定されてもよい。
【００５７】
一実施形態では、送信サブキャリア間隔の複数の値の所定の第１セット（例えば、{3.75, 15, 30, 60, 120, 240, 480}kHz、または、{15, 30, 60, 120, 240, 480}kHz）は、第１の複数のサブセットに分割されてもよい。例えば、第１の複数のサブセットは、少なくとも部分的に重なり合うか、または、互いに分離されていてもよい。第１の複数のサブセットは、上記の所定の第１のセットにおいて、連続していてもよいしまたは不連続であってもよい。一実施形態では、第１の複数のサブセットのそれぞれについて、それぞれの基準値Ｓｒが構成（設定）されてもよい。図３Ｂは、本開示の実施形態による、第１の複数のサブセットに基づいて基準値を決定する例を示す。図３Ｂに示されるように、所定の第１のセット３２０は、２つのサブセット３２１，３２２に分割されてもよい。サブセット３２１（例えば、{3.75, 15, 30, 60}kHz）について、基準値Ｓｒは、１５ｋＨｚに固定されてもよい。サブセット３２２（例えば、{120, 240, 480}kHz）について、基準値Ｓｒは、６０ｋＨｚに固定されてもよい。
【００５８】
一実施形態では、時間単位Ｔｓは、その基準値に基づいて決定されてもよい。すなわち、Ｔｓ＝１／（Ｓｒ * Ｎｓａｍｐｌｅ）である。例えば、Ｎｓａｍｐｌｅの数は、本開示の実施形態に従って、上記のように決定されてもよい。別の例では、Ｎｓａｍｐｌｅの数は、サブキャリアの数、サブキャリア間隔の基準値、およびシステム帯域幅の少なくとも１つに基づいてもよい。例えば、そのサブキャリアの数は、サブキャリア間隔の基準値に基づいたシステム帯域幅の下でサポートされる、サブキャリアの数であってもよい。一実施形態では、タイミングアドバンス調整の粒度は、（ＳＢ／ＳＡ）＊Ｔｓ、または、ｍａｘ（ＳＢ／ＳＡ， １）＊Ｔｓに決定されてもよい。別の実施形態では、送信サブキャリア間隔の所与の値Ｓtについて、ＰＲＡＣＨ送信のサブキャリア間隔の値Ｓｐは、その送信サブキャリア間隔の所与の値より大きくない可能性があるため、タイミングアドバンス調整の粒度は、（ＳＢ／ＳＡ）＊Ｔｓとして決定されてもよい。この場合、タイムアドバンスの調整を示す第１値ＴＡは、（ＳＢ／ＳＡ）＊Ｔｓの倍数であると決定されてもよい。
【００５９】
一実施形態では、サブキャリア間隔の複数の値のセット（例えば、{S1, S2, S3, S4 …, SQ-1, SQ}、ここで、Ｑは整数であり、Ｑ≧１である）は、たとえば、ダウンリンクおよび／またはアップリンク送信のために、または、ＰＲＡＣＨ送信のために、事前定義されてもよい。その複数の値の事前定義されたセットは、複数のサブセットに分割されてもよい。例えば、複数のサブセットは、少なくとも部分的に重複していても、互いに分離していてもよい。例えば、複数のサブセットは、サブキャリア間隔の複数の値の定義されたセットにおいて、連続的または不連続的であってもよい。別の例では、複数のサブセットのそれぞれは、１つの値のみを含んでいてもよい。すなわち、定義されたセットにおけるサブキャリア間隔の複数の値のそれぞれは、複数のサブセットの１つとみなされてもよい。一実施形態では、複数のサブセットのそれぞれについて、サブキャリア間隔のそれぞれの基準値が、構成（設定）されてもよい。
【００６０】
図３Ｃは、本開示の実施形態による、サブキャリア間隔の複数の値の所定のセットに基づいて基準値を決定する例を示す。図３Ｃに示されるように、サブキャリア間隔３３０のセットは、例えば、ダウンリンクおよび／またはアップリンク送信のために、または、ＰＲＡＣＨ送信のために、事前定義されてもよい。所定のセット３３０は、Ｇ個のサブセット（Ｇ≧１）に分割されてもよい。ｉ番目のサブセット３００ｉについて場合、サブキャリア間隔の基準値Ｓｒは、Ｒｉに固定されてもよく、ｉは、サブセットのインデックスであり、i = 1, 2 , …, Gである。例えば、Ｒｉの値は、所定のセット３３０におけるサブキャリア間隔の値のいずれかとされてもよい。一実施形態では、所定のセット３３０における各値について、サブキャリア間隔の基準値Ｓｒは、所定のセット３３０における各値に対して、固定されてもよい。すなわち、サブキャリア間隔の基準値Ｓｒは、異なるケースにおける、所定のセット３３０の値のそれぞれと同じであってもよい。一実施形態では、送信（例えば、ダウンリンクおよび／またはアップリンク送信）のためのサブキャリア間隔の特定の値について、サブキャリア間隔の基準値は、定義されなくてもよい。別の実施形態では、サブキャリア間隔の基準値Ｓｒは、ダウンリンクおよび／またはアップリンク送信および／またはＰＲＡＣＨ送信のための、サブキャリア間隔の可能な値のすべてについて、１つの固定値であってもよい。例えば、Ｓｒの固定値は、事前定義されたセット３３０における１つの値に固定されてもよい。
【００６１】
一実施形態において、時間単位Ｔｓは、上記の基準値に基づいて決定され得る。すなわち、Ｔｓ＝１／（Ｓｒ * Ｎｓａｍｐｌｅ）である。例えば、Ｎｓａｍｐｌｅの数は、本開示の実施形態に従って、上記のように決定されてもよい。別の例では、Ｎｓａｍｐｌｅの数は、サブキャリアの数、サブキャリア間隔の基準値、およびシステム帯域幅の少なくとも１つに基づいてもよい。例えば、そのサブキャリアの数は、サブキャリア間隔の基準値に基づいたシステム帯域幅の下でサポートされる、サブキャリアの数であってもよい。一実施形態では、タイミングアドバンス調整の粒度は、（ＳＢ／ＳＡ）＊Ｔｓ、または、ｍａｘ（ＳＢ／ＳＡ， １）＊Ｔｓに決定されてもよい。別の実施形態では、送信サブキャリア間隔の所与の値Ｓtについて、ＰＲＡＣＨ送信のサブキャリア間隔の値Ｓｐは、その送信サブキャリア間隔の所与の値より大きくない可能性があるため、タイミングアドバンス調整の粒度は、（ＳＢ／ＳＡ）＊Ｔｓとして決定されてもよい。この場合、タイムアドバンスの調整を示す第１値ＴＡは、（ＳＢ／ＳＡ）＊Ｔｓの倍数であると決定されてもよい。
【００６２】
一実施形態では、タイミングアドバンス調整のための粒度パラメータＮｔは、異なる複数のケースにおいて異なる値に固定されてもよい。例えば、いくつかのケースでは、粒度パラメータＮｔは、値Ｄｊに固定されてもよく、タイミングアドバンス調整のための粒度は、Ｄｊ＊Ｔｓに決定されてもよく、ここで、Ｔｓの値は、上記の通り本開示の実施形態に従って定義されてもよい。具体的には、一実施形態では、例えば、タイミングアドバンス調整の粒度は、１６に固定されてもよく、タイミングアドバンス調整の粒度は、１６＊Ｔｓに決定されてもよい。
【００６３】
一実施形態では、ＰＲＡＣＨ送信のためのサブキャリア間隔の複数の値の所定の第２のセット（例えば、{1.25, 2.5, 5, 15, 30, 60, 120, 240}kHz、または、{1.25, 2.5, 5, 7.5, 15, 30, 60, 120}kHz）は、第２の複数のサブセットに分割されてもよい。例えば、第２の複数のサブセットは、少なくとも部分的に重なり合うか、互いに分離されてもよい。一実施形態では、サブキャリア間隔の第２値ＳＢは、第２の複数のサブセットのそれぞれに関連付けられたそれぞれの値に固定されてもよい。図４Ａは、本開示の実施形態による、第２の複数のサブセットに基づいてサブキャリア間隔の第２値ＳＢを構成（設定）する例を示す。図４Ａに示すように、所定の第２のセット４１０は、{1.25, 2.5, 5, 15, 30, 60, 120, 240}kHzであってもよい。その所定の第２のセット４１０は、２つのサブセット４１１，４１２に分割されてもよい。サブセット４１１（例えば、{1.25, 2.5, 5, 15, 30}kHz）について、サブキャリア間隔の第２値ＳＢは、６０ＫＨｚに固定されてもよい。サブセット４１２（例えば、{60, 120, 240}kHz）について、サブキャリア間隔の第２値ＳＢは、４８０ｋＨｚに固定されてもよい。一実施形態では、タイミングアドバンス調整の粒度は、（ＳＢ／ＳＡ）＊Ｔｓ、または、ｍａｘ（ＳＢ／ＳＡ，１）＊Ｔｓであると決定されてもよい。この場合、タイムアドバンスの調整を示す第１値ＴＡは、（ＳＢ／ＳＡ）＊Ｔｓの倍数、または、ｍａｘ（ＳＢ／ＳＡ，１）＊Ｔｓの倍数であると決定されてもよい。一実施形態では、サブキャリア間隔の第２値ＳＢは、所定の第２のセット４１０のすべての値について１つの値のみに固定されてもよい。その１つの値は、所定の第１のセット（つまり、送信サブキャリア間隔の複数の値の上記セット）から選択されてもよく、たとえば、480kHzまたは120kHzである。そして、粒度パラメータＮｔは、ＳＢ／ＳＡであると決定されてもよく、タイミングアドバンス調整のための粒度は、（ＳＢ／ＳＡ）＊Ｔｓであると決定されてもよい。具体的には、一実施形態では、例えば、サブキャリア間隔の値Ｓｔは、480kHzに固定されてもよい。次いで、粒度パラメータＮｔは、４８０Ｋ／ＳＡであると決定されてもよく、タイミングアドバンス調整のための粒度は、４８０Ｋ／ＳＡ＊Ｔｓであると決定されてもよい。
【００６４】
一実施形態では、例えば、ＰＲＡＣＨ送信のためのサブキャリア間隔の値の所定の第２のセットは、{P1, P2, P3, P4 …, PN-1, PN}と定義されてもよく、ここで、Ｎは、整数であり、Ｎ≧１である。一実施形態では、所定の第２のセットは、第２の複数のサブセットに分割されてもよい。一実施形態では、第２の複数のサブセットは、互いに少なくとも部分的に重複していてもよく、または、分離されていてもよい。例えば、第２の複数のサブセットは、所定の第２のセットにおいて、連続または不連続であってもよい。例えば、第２の複数のサブセットのそれぞれは、１つの値のみを含んでいてもよい。すなわち、所定の第２のセットの値のそれぞれは、第２の複数のサブセットの１つと見なされ得る。
【００６５】
一実施形態では、第２の複数のサブセットのそれぞれについて、サブキャリア間隔の第２値ＳＢは、固定されてもよい。図４Ｂは、本開示の実施形態による、第２の複数のサブセットに基づいてサブキャリア間隔の第２値ＳＢを構成（設定）する例を示す。図４Ｂに示されるように、ＰＲＡＣＨ送信のためのサブキャリア間隔の値の所定の第２のセット４２０は、{P1, P2, P3, P4 …, PN-1, PN}であってもよく、ここで、Ｎは、整数であり、Ｎ≧１である。所定の第２のセット４２０は、Ｈ個のサブセット（Ｈ≧１）に分割され得る。ｉ番目のサブセット４２０ｉについて、サブキャリア間隔の第２値ＳＢは、Ｂｉに固定されてもよく、ここで、ｉは、サブセットのインデックスであり、i = 1, 2, …, Hである。例えば、Ｂｉの値は、所定の第１のセットから選択され得る。具体的には、一実施形態では、ＨはＮに等しくてもよい。すなわち、ＳＢのそれぞれの値は、所定の第２のセットの値のそれぞれについて、独立して固定されてもよい。例えば、それぞれの固定値は、所定の第１のセットから選択されてもよい。別の実施形態では、サブキャリア間隔の第２値ＳＢは、所定の第２のセットにおけるすべての値について、１つの値のみに固定されてもよい。例えば、その１つの値は、上記の所定の第１のセットから選択されてもよい。
【００６６】
一実施形態では、タイミングアドバンス調整のための粒度は、ＳＢ／Ｓｐ＊Ｔｓ、または、ｍａｘ（ＳＢ／Ｓｐ，１）＊Ｔｓであると決定され得る。この場合、タイミングアドバンスの調整を示す第１値ＴＡは、ＳＢ／Ｓｐ＊Ｔｓの倍数、または、ｍａｘ（ＳＢ／Ｓｐ，１）＊Ｔｓの倍数であると決定され得る。具体的には、一実施形態では、例えば、サブキャリア間隔の第２値ＳＢは、480kHzに固定され得る。次いで、粒度パラメータＮｔは、４８０Ｋ／Ｓｐであると決定されてもよく、タイミングアドバンス調整のための粒度は、４８０Ｋ／Ｓｐ＊Ｔｓであると決定されてもよい。
【００６７】
一実施形態では、ＰＲＡＣＨ送信のためのサブキャリア間隔の値の所定の第２セット（例えば、{1.25, 2.5, 5, 15, 30, 60, 120, 240}kHz、または、{1.25, 2.5, 5, 7.5, 15, 30, 60, 120}kHz）は、第２の複数のサブセットに分割され得る。例えば、第２の複数のサブセットは、少なくとも部分的に重なり合うか、互いに分離されてもよい。一実施形態では、第２の複数のサブセットのそれぞれについて、ＳＡについてのサブキャリア間隔のそれぞれの値は、固定されてもよい。図５Ａは、本開示の実施形態による、第２の複数のサブセットに基づいて、ＳＡについてのサブキャリア間隔の異なる値を構成（設定）する例を示す。図５Ａに示されるように、サブキャリア間隔の値の所定の第２のセット５１０は、{1.25, 2.5, 5, 15, 30, 60, 120, 240}kHzであってもよい。所定の第２のセット５１０は、２つのサブセット５１１，５１２に分割され得る。サブセット５１１（例えば、{1.25, 2.5, 5, 15}kHz）について、ＳＡについてのサブキャリア間隔のそれぞれの値は、１．２５ｋＨｚに固定され得る。サブセット５１２（例えば、{30, 60, 120, 240}kHz）について、ＳＡについてのサブキャリア間隔のそれぞれの値は、１５ｋＨｚに固定されてもよい。タイミングアドバンス調整の粒度は、ＳＢ／ＳＡ＊Ｔｓに決定されてもよい。この場合、タイムアドバンスの調整を示す第１値ＴＡは、ＳＢ／ＳＡ＊Ｔｓの倍数であると決定されてもよい。具体的には、一実施形態では、サブセット５１１について、粒度パラメータＮｔは、１２であると決定されもよく、タイミングアドバンス調整のための粒度は、１２＊Ｔｓであると決定されてもよい。別の実施形態では、サブセット５１２について、粒度パラメータＮｔは、１６であると決定されてもよく、タイミングアドバンス調整の粒度は、１６＊Ｔｓであると決定されてもよい。
【００６８】
一実施形態では、例えば、ＰＲＡＣＨ送信のためのサブキャリア間隔の値の所定の第２のセットは、{P1, P2, P3, P4 …, PN-1, PN}と定義されてもよく、ここで、Ｎは、整数であり、Ｎ≧１である。一実施形態では、所定の第２のセットは、第２の複数のサブセットに分割されてもよい。一実施形態では、第２の複数のサブセットは、互いに少なくとも部分的に重複してもよく、または、分離されていてもよい。例えば、第２の複数のサブセットは、所定の第２のセットにおいて、連続または不連続であってもよい。
【００６９】
一実施形態では、第２の複数のサブセットのそれぞれについて、ＳＡについてのサブキャリア間隔の値は、固定されてもよい。図５Ｂは、本開示の実施形態による、第２の複数のサブセットに基づいて、ＳＡについてのサブキャリア間隔の異なる値を構成（設定）する例を示す。図５Ｂに示されるように、ＰＲＡＣＨ送信のためのサブキャリア間隔の値の所定の第２のセット５２０は、{P1, P2, P3, P4 …, PN-1, PN}であってもよく、ここで、Ｎは、整数であり、Ｎ≧１である。所定の第２のセット５２０は、Ｘ個のサブセット（Ｘ≧１）に分割され得る。ｉ番目のサブセット５２０ｉについて、サブキャリア間隔の第１値ＳＡは、Ａｉに固定されてもよく、ここで、ｉは、サブセットのインデックスであり、i = 1, 2, …, Xである。例えば、Ａｉの値は、所定の第２のセットから選択され得る。具体的には、一実施形態では、ＨはＮに等しくてもよい。この場合、ＳＡのそれぞれの値は、所定の第２のセットにおける複数の値のそれぞれに対して、固定されてもよい。すなわち、サブキャリア間隔の第１値ＳＡは、ＰＲＡＣＨ送信のためのサブキャリア間隔の構成値（設定値）と同じであってもよい。別の実施形態では、サブキャリア間隔の第１値ＳＡは、所定の第２のセットにおけるすべての値について、１つの値のみに固定されてもよい。例えば、その１つの値は、所定の第１のセットから選択されてもよい。
【００７０】
一実施形態では、タイミングアドバンス調整の粒度は、（ＳＢ／ＳＡ）＊Ｔｓであると決定され得る。この場合、タイムアドバンスの調整を示す第１値ＴＡは、（ＳＢ／ＳＡ）＊Ｔｓの倍数であると決定されてもよい。一実施形態では、ｉ番目のサブセットについて、粒度パラメータＮｔは、Ｃｉであると決定されてもよく、ここで、Ｃｉは、固定の正の整数であってもよく、タイミングアドバンス調整のための粒度は、Ｃｉ＊Ｔｓであると決定されてもよい。たとえば、Ｃｉは、1、4、8、16、32、および64のいずれかである。
【００７１】
再び図２を参照し、ネットワークデバイス１１０は、端末デバイス１２０がアップリンク送信のタイミングを調整することを可能にするために、上記の第１値の指示を端末デバイス１２０に送信する（２３０）。一実施形態では、ネットワークデバイス１１０は、第１値ＴＡのインデックス値ＮＴＡを端末デバイス１２０に送信してもよい。一実施形態では、ネットワークデバイス１１０は、インデックス値ＮＴＡを端末デバイス１２０に示してもよく、ここで、ＴＡ＝ＮＴＡ＊Ｔｓである。たとえば、インデックス値ＮＴＡは、粒度パラメータＮｔの倍数である。
【００７２】
ネットワークデバイス１１０から第１値の指示を受信することに応答して、端末デバイス１２０は、アップリンク送信のタイミングを調整するために、第１値を取得する（２４０）。
【００７３】
一実施形態では、端末デバイス１２０は、ネットワークデバイス１１０からインデックス値ＮＴＡを受信し、インデックス値ＮＴＡに基づいて第１値ＴＡを決定してもよい。一実施形態では、第１値ＴＡは、時間領域における２つの隣接するサンプル間の時間間隔を示す時間単位Ｔｓとインデックス値ＮＴＡとに基づいて、決定されてもよい。たとえば、第１値ＴＡは、ＴＡ＝ＮＴＡ＊Ｔｓとして決定できる。一実施形態では、端末デバイス１２０は、上述のように、ネットワークデバイス１１０と同じ方法で時間単位Ｔｓを決定してもよい。簡略化のために、端末デバイス１２０による時間単位Ｔｓの決定は、さらに詳細には説明されない。
【００７４】
ネットワークデバイス１１０によって示されるタイミングアドバンス値を取得すると、端末デバイス１２０は、タイミングアドバンス値に基づいて、アップリンク送信のタイミングを調整してもよい（２５０）。
【００７５】
一実施形態では、ネットワークデバイス１１０への初期アクセスのために、端末デバイス１２０からのアップリンク無線フレームの送信は、対応するダウンリンク無線フレームの開始前の期間を開始することができる。その期間は、（ＮＴＡ＋ＮＴＡ＿ｏｆｆｓｅｔ）＊Ｔｓとして決定されてもよく、ここで、ＮＴＡ＿ｏｆｆｓｅｔは、固定値である。たとえば、周波数分割複信（FDD : Frequency Division Duplex）のフレーム構造の場合、ＮＴＡ＿ｏｆｆｓｅｔは、ゼロであり、時分割複信（TDD : Time Division Duplex）のフレーム構造の場合、ＮＴＡ＿ｏｆｆｓｅｔは、Ｗであり、ここで、Ｗは、整数であり固定値である。
【００７６】
一実施形態では、初期アクセス以外の他のケースについては、タイミングアドバンス値（つまり、、第１値ＴＡ）は、新しいタイミングアドバンス値への現在のタイミングアドバンス値の調整を示してもよい。具体的には、新しいタイミングアドバンス値のインデックスＮＴＡ＿ｎｅｗは、ＮＴＡ＿ｎｅｗ＝ＮＴＡ＋ＮＴＡ＿ｏｌｄとして決定されてもよく、ここで、ＮＴＡ＿ｏｌｄは、現在のタイミングアドバンス値のインデックスである。調整により、端末デバイス１２０からのアップリンク無線フレームの送信は、対応するダウンリンク無線フレームの開始前に、（ＮＴＡ＿ｎｅｗ＊Ｔｓ）を開始してもよい。一実施形態では、タイミングアドバンス値（つまり、第１値ＴＡ）は、正または負であってもよく、これらは、それぞれアップリンク送信のタイミングを対応する量だけ進めるまたは遅らせることを示す。
【００７７】
一実施形態では、値ＮＴＡは、粒度パラメータＮｔの倍数であってもよい。すなわち、ＮＴＡ＝Ｋ＊Ｎｔであり、Ｋは、整数であり、Ｋ≧１である。一実施形態では、例えば初期アクセスの場合、値Ｋは、範囲(0, 1, 2,…, α)に入ってもよい。別の実施形態では、例えば初期アクセスを除く他のケースでは、値Ｋは、別の範囲(0, 1, 2,…, β)に入ってもよい。
【００７８】
一実施形態では、ネットワークデバイスは、タイミングアドバンス調整のために、端末デバイスにＫの値を示してもよい。一実施形態では、例えば初期アクセスの場合、値Ｋの指示のためのビット数は、Δであってもよい。別の実施形態では、例えば、初期アクセスを除く他のケースでは、値Ｋの指示のためのビット数は、σであってもよい。
【００７９】
一実施形態では、本開示の実施形態に従って、サブキャリア間隔の第１値ＳＡ、サブキャリア間隔の第２値ＳＢ、および、サブキャリア間隔の基準値Ｓｒのいずれかを決定すると、値Ｋおよび／または値Ｋの指示のためのビット数は、サブキャリア間隔の第１値ＳＡ、サブキャリア間隔の第２値ＳＢ、および、サブキャリア間隔の基準値Ｓｒのいずれかに基づいて、決定されてもよい。第１範囲(0, 1, 2, …, α1)に入る値Ｋ１は、サブキャリア間隔の第１値ＳＡ１、サブキャリア間隔の第２値ＳＢ１、およびサブキャリア間隔の基準値Ｓｒ１のいずれかに関連付けられてもよい。第２範囲(0, 1, 2, …, α2)に入る値Ｋ２は、サブキャリア間隔の第１値ＳＡ２、サブキャリア間隔の第２値ＳＢ２、およびサブキャリア間隔の基準値Ｓｒ２のいずれかに関連付けられてもよいい。一実施形態では、値Ｋの異なる範囲（上記の第１範囲および第２範囲など）は、同じケース（たとえば、初期アクセスまたは他のケース）に使用されてもよい。あるいは、別の実施形態では、値Ｋの異なる範囲は、異なるケースにそれぞれ使用されてもよい。
【００８０】
一実施形態では、Δ１ビットは、値Ｋ１の表示のために用いられてもよく、Δ１は、サブキャリア間隔の第１値ＳＡ１、サブキャリア間隔の第２値ＳＢ１、およびサブキャリア間隔の基準値Ｓｒ１のいずれかに関連付けれれてもよい。Δ２ビットは、値Ｋ２の表示のために用いられてもよく、Δ２は、サブキャリア間隔の第１値ＳＡ２、サブキャリア間隔の第２値ＳＢ２、およびサブキャリア間隔の基準値Ｓｒ２のいずれかに関連付けられてもよい。一実施形態では、Δの異なる値（Δ１およびΔ２など）は、同じケース（たとえば、初期アクセスまたは他のケース）に使用されてもよい。あるいは、別の実施形態では、Δの異なる値は、それぞれ異なるケースに使用されてもよい。
【００８１】
いくつかの実施形態では、サブキャリア間隔の値の所定の第２セットの異なるサブセット（例えば、{1.25, 2.5, 5, 15, 30, 60, 120, 240}kHz、または、{1.25, 2.5, 5, 7.5, 15, 30, 60, 120}kHz）は、送信サブキャリア間隔の異なる値に関連付けられてもよい。図６Ａは、所定の第１セットと第２セットとの間の関連付けに基づいて、ダウンリンクおよび／またはアップリンク送信のサブキャリア間隔の１つの所与の値について使用される所定の第２セットの複数のサブセットを構成（設定）する例を示す。図６Ａに示されるように、サブキャリア間隔の値の所定の第２のセット６１０は、{1.25, 2.5, 5, 7.5, 15, 30, 60, 120}kHzであってもよい。所定の第２のセット６１０の５つのサブセット６１１〜６１６が示されており、サブセット６１１は、{1.25} kHzであり得、サブセット６１２は、{1.25, 2.5, 5} kHzであり得、サブセット６１３は、{5, 7.5, 15} kHzであり得、サブセット６１４は、{7.5, 15, 30, 60} kHzであり得、サブセット６１５は、{60, 120}であり得、サブセット６１６は、{120} kHzであり得る。所定の第１のセット（つまり、ダウンリンクおよび／またはアップリンク送信のサブキャリア間隔の複数の値のセット）の各値について、所定の第２のセット６１０の複数のサブセットの少なくとも１つが構成（設定）されてもよい。サブセットの例が、６１１−６１５として示されている。例えば、サブセット６１２は、ダウンリンクおよび／またはアップリンク送信のための１５ｋＨｚサブキャリア間隔に関連付けられてもよい。すなわち、ダウンリンクおよび／またはアップリンク送信のサブキャリア間隔が１５ｋＨｚになるように構成（設定）されている場合、サブセット６１２の値のいずれかが、ＰＲＡＣＨ送信のサブキャリア間隔として選択されてもよい。同様に、サブセット６１２は、ダウンリンクおよび/またはアップリンク送信のための３０ｋＨｚのサブキャリア間隔に関連付けられてもよい。サブセット６１１は、ダウンリンクおよび／またはアップリンク送信のための３．７５ｋＨｚのサブキャリア間隔に関連付けられてもよい。サブセット６１３は、ダウンリンクおよび／またはアップリンク送信のための６０ｋＨｚのサブキャリア間隔に関連付けられてもよい。サブセット６１４は、ダウンリンクおよび／またはアップリンク送信のための１２０ｋＨｚのサブキャリア間隔に関連付けられてもよい。サブセット６１５は、ダウンリンクおよび／またはアップリンク送信のための２４０ｋＨｚのサブキャリア間隔に関連付けられてもよい。サブセット６１６は、ダウンリンクおよび／またはアップリンク送信のための４８０ｋＨｚのサブキャリア間隔に関連付けられてもよい。上記の例は、本開示の範囲に対する限定を示唆することなく、例示の目的のみのためであることを理解されたい。
【００８２】
一実施形態では、所定の第２のセットから値が選択されて、ＰＲＡＣＨ送信のためのサブキャリア間隔として使用されてもよい。例えば、その値をＰＲＡＣＨ送信のためのサブキャリア間隔として構成（設定）するために、その値の指示が、ネットワークデバイスから端末デバイスに送信されてもよい。その指示の受信に応じて、端末デバイスは、指示に対応するサブキャリア間隔を用いて、ＰＲＡＣＨ上で信号を送信してもよい。一実施形態では、その指示のビット数は、Ｙで表されてもよい。例えば、ＰＲＡＣＨ送信のための所定の第２セット（例えば、{1.25, 2.5, 5, 15, 30, 60, 120, 240}kHz、または、{1.25, 2.5, 5, 7.5, 15, 30, 60, 120}kHz）における８つの値の１つを示すために、Ｙは、３であってもよい。
【００８３】
一実施形態では、所定の第２セット（例えば、{1.25, 2.5, 5, 15, 30, 60, 120, 240}kHz、または、{1.25, 2.5, 5, 7.5, 15, 30, 60, 120}kHz）の少なくとも１つのサブセットは、（例えば、アップリンクおよび／またはダウンリンク送信のための）送信サブキャリア間隔の値Ｓｔに関連付けられてもよい。一実施形態では、送信サブキャリア間隔の値Ｓｔについて、所定の第２セットの少なくとも１つのサブセットからのＰＲＡＣＨ送信のためのサブキャリア間隔の値の指示についてのビット数は、Ｚ（Ｚ≦Ｙ）であってもよい。たとえば、サブセットを示すビット数は、１または２であってもよい。
【００８４】
一実施形態では、例えば、アップリンクおよび／またはダウンリンク送信のためのサブキャリア間隔の値の所定の第１のセットは、{ S1, S2, S3, S4 …, SM-1, SM }と定義されてもよく、ここで、Ｍは、整数であり、Ｍ≧１である。一実施形態では、所定の第１のセットは、第１の複数のサブセットに分割されてもよい。一実施形態では、第１の複数のサブセットは、互いに少なくとも部分的に重複してもよく、または、互いに分離されていてもよい。例えば、第１の複数のサブセットは、所定の第１のセットにおいて、連続的または不連続的であってもよい。例えば、第１の複数のサブセットのサイズは、互いに異なっていても同じでもよい。別の例では、第１の複数のサブセットのそれぞれは、１つの値のみを含んでいてもよい。すなわち、所定の第１のセットの値のそれぞれは、第１の複数のサブセットの１つと見なされてもよい。別の実施形態では、所定の第１のセットは、分割されなくてもよい。
【００８５】
一実施形態では、例えば、ＰＲＡＣＨ送信のためのサブキャリア間隔の値の所定の第２のセットは、{P1, P2, P3, P4 …, PN-1, PN}であると定義されてもよく、ここで、Ｎは、整数であり、Ｎ≧１である。一実施形態では、所定の第２のセットは、第２の複数のサブセットに分割されてもよい。一実施形態では、第２の複数のサブセットは、互いに少なくとも部分的に重複してもよく、または、分離されていてもよい。例えば、第２の複数のサブセットは、所定の第２のセットにおいて、連続または不連続であってもよい。例えば、第２の複数のサブセットのサイズは、互いに異なっていても同じでもよい。別の例では、第２の複数のサブセットのそれぞれは、１つの値のみを含んでいてもよい。すなわち、所定の第２のセットの値のそれぞれは、第２の複数のサブセットの１つと見なされてもよい。別の実施形態では、所定の第２のセットは、分割されなくてもよい。
【００８６】
一実施形態では、第１の複数のサブセットの少なくとも１つは、第２の複数のサブセットの少なくとも１つに関連付けられてもよい。一実施形態では、第１の複数のサブセットの少なくとも１つにおける送信サブキャリア間隔の値について、第２の複数のサブセットの少なくとも１つからの値は、ＰＲＡＣＨ送信のためのサブキャリア間隔として構成（設定）されてもよい。
【００８７】
図６Ｂは、第１の複数のサブセットの少なくとも１つと第２の複数のサブセットの少なくとも１つとの間の関連付けの例を示している。図６Ｂに示されるように、送信サブキャリア間隔の値の所定の第１のセット６１０は、Ｕ個のサブセット（つまり、第１の複数のサブセット）に分割されてもよい。ＰＲＡＣＨ送信のためのサブキャリア間隔の値の所定の第２のセット６２０は、Ｖ個のサブセット（つまり、第２の複数のサブセット）に分割されてもよい。第１の複数のサブセットのそれぞれは、第２の複数のサブセットの少なくとも１つに関連付けられてもよい。例えば、図６Ｂに示されるように、第１の複数のサブセットのサブセット６１０１は、第２の複数のサブセットのサブセット６２０１に関連付けられてもよい。すなわち、サブセット６１０１におけるいずれかの値について、サブセット６２０１におけるいずれか値は、ＰＲＡＣＨ送信のサブキャリア間隔として構成（設定）されてもよい。同様に、第１の複数のサブセット内のサブセット６１０２は、第２の複数のサブセット内のサブセット６２０２に関連付けられてもよく、第１の複数のサブセット内のサブセット６１０Ｕは、第２の複数のサブセット内のサブセット６２０Ｖに関連付けられてもよい。
【００８８】
一実施形態では、ＰＲＡＣＨ送信のためのサブキャリア間隔の値の所定の第２のセットは、{P1, P2, P3, P4 …, PN-1, PN}であると定義されてもよく、ここで、Ｎは整数であり、Ｎ≧１である。値が、所定の第２のセットから選択されて、ＰＲＡＣＨ送信のためのサブキャリア間隔として使用されてもよい。例えば、その値の指示が、ＰＲＡＣＨ送信のためのサブキャリア間隔として値を構成（設定）するために、ネットワークデバイスから端末デバイスに送信されてもよい。その指示の受信に応じて、端末デバイスは、指示に対応するサブキャリア間隔を用いて、ＰＲＡＣＨ上で、信号を送信してもよい。一実施形態では、指示のビット数は、Ｙで表すことができる。一実施形態では、所定の第２セットの異なるサブセットは、所定の第１セットの異なるサブセットまたは値に関連付けられてもよい。一実施形態では、所定の第１セットの各値または各サブセットについて、所定の第２セットのサブセットの１つからのＰＲＡＣＨ送信のサブキャリア間隔の値の指示についてのビット数は、Ｚ（Ｚ≦Ｙ）であってもよい。
【００８９】
いくつかの実施形態では、サブキャリア間隔の値の所定の第２のセット（例えば、{1.25, 2.5, 5, 15, 30, 60, 120, 240}kHz、または、{1.25, 2.5, 5, 7.5, 15, 30, 60, 120}kHz）の異なるサブセットおよび/または異なるＰＲＡＣＨシーケンス長は、異なるユースケースについて構成（設定）されてもよい。一実施形態では、上記の所定の第２のセット（つまり、ＰＲＡＣＨ送信のサブキャリア間隔の複数の値のセット）および／またはＰＲＡＣＨ送信のための複数のＰＲＡＣＨシーケンス長のセットは、複数のサブセットに分割されてもよい。一実施形態では、上記の所定の第２のセットおよび／または上記のＰＲＡＣＨシーケンス長のセットの複数のサブセットは、少なくとも部分的に互いに重複してもよいし、または、分離されていてもよい。例えば、上記の複数のサブセットは、上記の所定の第２のセットおよび／または上記のＰＲＡＣＨシーケンス長のセットにおいて、連続的または不連続的であってもよい。たとえば、サブセットのサイズは、互いに異なっていても同じでもよい。図７は、本開示の実施形態による異なるユースケースのための、サブキャリア間隔の複数の値の所定の第２のセットの異なるサブセットおよび／または異なるＰＲＡＣＨシーケンス長を構成（設定）する例を示す。図７に示されるように、サブキャリア間隔の複数の値の所定の第２のセット７１０は、{1.25, 2.5, 5, 7.5, 15, 30, 60, 120}kHzである。所定の第２のセット７１０の２つのサブセット７１１，７１２が示されており、サブセット７１１は、{1.25, 2.5, 5, 7.5, 15, 30}kHzであってもよく、サブセット７１２は、{15, 30, 60, 120}kHzであってもよい。サブセット７１１は、ケース７１３（例えば、初期アクセス（initial access））について構成（設定）されてもよく、サブセット７１２は、ケース７１４（例えば、ビーム障害レポート（beam fail report））について構成（設定）されてもよい。別の例では、サブセット７１１は、ケース７１３（例えば、初期アクセス）について構成（設定）されてもよく、サブセット７１２は、ケース７１３，７１４（例えば、初期アクセスおよびビーム障害レポート）について構成（設定）されてもよい。同様に、異なるユースケースについて、異なるＰＲＡＣＨシーケンス長が、構成（設定）されてもよい。たとえば、ケース７１３について、８３９のＰＲＡＣＨシーケンス長が設定されてもよく、ケース７１４について、６３／７１または１２７／１３９のＰＲＡＣＨシーケンス長が、使用されてもよい。別の例では、ケース７１３について、８９３のＰＲＡＣＨシーケンス長が設定されてもよく、ケース７１３，７１４について、６３／７１または１２７／１３９のＰＲＡＣＨシーケンス長が、使用されてもよい。別の実施形態では、サブキャリア間隔の複数の値の所定の第２のセットの複数のサブセットおよび／または異なる複数のＰＲＡＣＨシーケンス長は、図７の例に限定されなくてもよい。
【００９０】
いくつかの実施形態では、ネットワークデバイス１１０は、送信サブキャリア間隔の１つの値Ｓ１に関連付けられた、タイミングアドバンスの値ＮＴＡを、端末デバイス１２０に示してもよい。端末デバイス１２０は、送信サブキャリア間隔の別の値Ｓ２もサポートしていてもよい。この場合、（例えば、ネットワークデバイス１１０によって）端末デバイス１２０が送信サブキャリア間隔の他の値Ｓ２で構成（設定）されている場合、ネットワークデバイス１１０は、その端末デバイス１２０に、サブキャリア間隔Ｓ２についてのタイミングアドバンスの別の値ＮＴＡ’を示してもよい。例えば、タイミングアドバンス値は、ダウンリンクおよび／またはアップリンクおよび／またはＰＲＡＣＨの異なる送信について、独立していてもよい。
【００９１】
いくつかの実施形態では、ネットワークデバイス１１０は、送信サブキャリア間隔の１つの値Ｓ１に関連する、タイミングアドバンスの第１値ＮＴＡを、端末デバイス１２０に示していてもよい。端末デバイス１２０は、送信サブキャリア間隔の別の値Ｓ２もサポートしていてもよい。この場合、（例えば、ネットワークデバイス１１０によって）端末デバイス１２０が送信サブキャリア間隔の他の値Ｓ２で構成（設定）されている場合、端末デバイス１２０は、第１のインデックスＮＴＡと値Ｓ１および値Ｓ２の両方とに基づいて、タイミングアドバンスの第２値ＮＴＡ’を決定してもよい。例えば、一実施形態では、タイミングアドバンスの第２値ＮＴＡ’は、ＮＴＡ’＝（Ｓ２／Ｓ１）＊ＮＴＡとして決定されてもよい。すなわち、場合によっては、そのタイミングアドバンス値は、参照され得る。
【００９２】
いくつかの実施形態において、上記のタイミングアドバンス調整は、ビーム障害レポート手順（beam fail report procedure）に適用され得る。ビーム障害（beam failure）を検出すると、端末デバイス１２０は、特定のＰＲＡＣＨシーケンスをネットワークデバイス１１０に送信してもよい。一実施形態では、特定のＰＲＡＣＨシーケンスは、特定のシーケンスインデックスまたは特定の時間リソースおよび／または周波数リソースを指してもよい。その特定のＰＲＡＣＨシーケンスを受信すると、ネットワークデバイス１１０は、その特定のＰＲＡＣＨシーケンスに基づいて、ビーム障害に関する情報を決定してもよい。ビーム障害レポートのためのＰＲＡＣＨ送信について、タイミングアドバンス調整が、適用されてもよい。図８Ａ−８Ｂは、本開示の実施形態によるビーム障害レポートのためのＰＲＡＣＨ送信の例を示す。図８Ａに示されるように、ビーム障害レポートのためのＰＲＡＣＨ構造８１０が、提供されてもよく、それは、１つ以上のＰＲＡＣＨシンボル８１１と、ガードタイムを示す領域８１２とを含んでもよい。図８Ｂに示されるように、ビーム障害レポートのためのＰＲＡＣＨ送信にタイミングアドバンス調整が適用されると、ネットワークデバイス１１０でのＰＲＡＣＨの受信が、調整されてもよい。さらに、ガードタイムの領域は、ビーム障害に関する情報など、他の情報の送信に使用され得る。
【００９３】
図９は、本開示のいくつかの実施形態による例示的な方法９００のフローチャートを示す。方法９００は、図１に示すようにネットワークデバイス１１０で実施され得る。議論の目的のために、方法９００は、図１を参照してネットワークデバイス１１０の観点から説明される。
【００９４】
動作９１０において、ネットワークデバイスによってサービスされる端末デバイスから物理ランダムアクセスチャネル（PRACH）シーケンスを受信することに応答して、ネットワークデバイス１１０は、ＰＲＡＣＨシーケンスとサブキャリア間隔の少なくとも１つの値とに基づいて、タイミングアドバンス調整を示す第１値を決定する。
【００９５】
動作９２０において、ネットワークデバイス１１０は、端末デバイスがアップリンク送信のタイミングを調整できるようにするために、第１値の指示を端末デバイスに送信する。
【００９６】
いくつかの実施形態では、上記の第１値を決定することは、時間領域における２つの隣接するサンプル間の時間間隔を示す第２値を決定すること、その第２値に基づいて、タイミングアドバンスの調整の粒度を示す第３値を決定すること、および、その第３値に基づいて、上記の第１値を決定すること、を含む。
【００９７】
いくつかの実施形態では、上記の第２値を決定することは、サブキャリア間隔の基準値を決定すること、時間領域での１つのシンボルにおけるサンプル数を決定すること、および、その基準値とそのサンプル数とに基づいて、上記の第２値を決定すること、を含む。
【００９８】
いくつかの実施形態では、上記の基準値は、固定値を含む。
【００９９】
いくつかの実施形態では、基準値を決定することは、サブキャリア間隔の値の所定の第１のセットに含まれ且つ送信サブキャリア間隔を示す、第４値を決定すること、および、その第４値に基づいて、上記の基準値を決定すること、を含む。
【０１００】
いくつかの実施形態では、上記の基準値は、上記の第４値を含む。
【０１０１】
いくつかの実施形態では、上記の所定の第１のセットは、第１の複数のサブセットに分割され、上記の第４値は、その第１の複数のサブセットの１つに含まれ、上記の基準値を決定することは、その第１の複数のサブセットの１つに基づいて、上記の基準値を決定することを含む。
【０１０２】
いくつかの実施形態では、上記の第３値を決定することは、送信サブキャリア間隔を示す第４値およびＰＲＡＣＨについてのサブキャリア間隔を示す第５値を決定すること、および、上記の第２値、上記の第４値、および上記の第５値に基づいて、上記の第３値を決定すること、を含む。
【０１０３】
いくつかの実施形態では、上記の第５値は、サブキャリア間隔の複数の値の所定の第２のセットに含まれ、その所定の第２のセットは、第２の複数のサブセットに分割され、上記の第５値は、その第２の複数のサブセットの１つに含まれ、上記の第４値を決定することは、その第２の複数のサブセットのうちの１つに基づいて、上記の第４値を決定することを含む。
【０１０４】
いくつかの実施形態では、上記の第４値および第５値を決定することは、サブキャリア間隔の値の所定の第２セットを取得することを含み、その所定の第２セットは、第２の複数のサブセットに分割され、さらに、その第２の複数のサブセットの少なくとも１つに基づいて、上記の第４値および第５値の少なくとも１つを決定することを含む。
【０１０５】
いくつかの実施形態では、方法９００は、端末デバイスによって第１値に基づいて調整されたタイミングで送信されている更なるシーケンスを、端末デバイスから受信すること、をさらに含む。
【０１０６】
図１０は、本開示のいくつかの実施形態による例示的な方法１０００のフローチャートを示す。方法１０００は、図１に示される端末デバイス１２０で実施され得る。議論の目的のために、方法１０００は、図１を参照してネットワークデバイス１１０の観点から説明される。
【０１０７】
動作１０１０において、端末デバイス１２０は、ネットワークデバイスに物理ランダムアクセスチャネル（PRACH）シーケンスを送信する。
【０１０８】
動作１０２０において、タイミングアドバンスの調整を示す第１値の指示をネットワークデバイスから受信することに応答して、端末デバイス１２０は、アップリンク送信のタイミングを調整するために第１値を取得し、その第１値は、上記のＰＲＡＣＨシーケンスと少なくとも１つのサブキャリア間隔の値とに基づいて、ネットワークデバイスによって決定される。
【０１０９】
いくつかの実施形態では、上記の第１値を取得することは、時間領域における２つの隣接するサンプル間の時間間隔を示す第２値を決定すること、および、上記の指示およびその第２値に基づいて、上記の第１値を決定すること、を含む。
【０１１０】
いくつかの実施形態では、方法１０００は、上記の第１値に基づいてアップリンク送信のタイミングを調整することにより、更なるシーケンスをネットワークデバイスに送信することをさらに含む。
【０１１１】
いくつかの実施形態では、ネットワークデバイスは、端末デバイスに、ＰＲＡＣＨ送信および／またはタイミングアドバンス調整のための構成情報（設定情報）を送信してもよい。たとえば、ＰＲＡＣＨ送信についての構成情報は、ＰＲＡＣＨシーケンスのサブキャリア間隔の値、ＰＲＡＣＨシーケンスの長さ、時間リソースおよび／または周波数リソースなどの少なくとも１つを含んでいてもよい。タイミングアドバンス調整についての構成情報は、時間単位、タイミングアドバンス調整の粒度、タイミングアドバンス調整についての少なくとも１つのパラメータの値、その少なくとも１つのパラメータの値の範囲、および／または、タイミングアドバンス調整についてのその少なくとも１つのパラメータを示すためのビット数、の少なくとも１つを含んでいてもよい。例えば、その少なくとも１つのパラメータの例は、上述のように、Ｋおよび／またはＮＴＡなどを含んでいてもよい。一実施形態では、ネットワークデバイスは、上位層シグナリング（higher layer signaling）、動的シグナリング（dynamic signaling）、および／または、物理層シグナリングを介して、その構成情報を端末デバイスに送信してもよい。シグナリングの例には、これらに限定されないが、無線リソース制御（RRC）層、メディアアクセス制御（MAC）層、および／または、ＮＲ−ＰＤＣＣＨなどの物理制御層でのシグナリングが含まれてもよい。
【０１１２】
図１１は、本開示のいくつかの実施形態による装置１１００のブロック図を示している。
装置１１００は、図１に示されるようなネットワークデバイス１１０の実施例と見なすことができる。示されるように、装置１１００は、決定モジュール１１１０を含み、上記のネットワークデバイスによってサービスされる端末デバイスからの物理ランダムアクセスチャネル（ＰＲＡＣＨ）シーケンスの受信に応じて、決定モジュール１１１０は、そのＰＲＡＣＨシーケンスとサブキャリア間隔の少なくとも１つの値とに基づいて、タイミングアドバンスの調整を示す第１値を決定する、ように構成されている。装置１１００は、また、送信モジュール１１２０を含み、送信モジュール１１２０は、端末デバイスがアップリンク送信のタイミングを調整できるようにするために、端末デバイスに第１値の指示を送信する、ように構成されている。
【０１１３】
図１２は、本開示のいくつかの実施形態による装置１２００のブロック図を示す。装置１２００は、図１に示される端末デバイス１２０の例示的な実施例と見なすことができる。示されるように、装置１２００は、送信モジュール１２１０を含み、送信モジュール１２１０は、物理ランダムアクセスチャネル（PRACH）シーケンスをネットワークデバイスに送信するように構成されている。装置１２００はまた、取得モジュール１２２０を含み、タイミングアドバンスの調整を示す第１値の指示をネットワークデバイスから受信することに応答して、取得モジュール１２２０は、アップリンク送信のタイミングを調整するために、その第１値を取得するように構成され、その第１値は、ＰＲＡＣＨシーケンスとサブキャリア間隔の少なくとも１つの値とに基づいて、ネットワークデバイスによって決定される。
【０１１４】
明確にするために、図１１および／または図１２は、装置１１００および／または装置１２００のいくつかのオプションのモジュールを示していない。しかしながら、図１−９を参照して説明した種々の特徴は、装置１１００に適用可能であり、また、図１−８，１０を参照して説明した種々の特徴は、装置１２００に適用可能である、ことが理解されるべきである。さらに、装置１１００および／または装置１２００のそれぞれのモジュールは、ハードウェアモジュールまたはソフトウェアモジュールであってもよい。例えば、いくつかの実施形態では、装置１１００および／または装置１２００は、ソフトウェアおよび／またはファームウェアによって部分的または完全に実装されてもよく、例えば、コンピュータ可読媒体で具現化されるコンピュータプログラム製品として実装されてもよい。代替的に、または、追加的に、装置１１００および／または装置１２００は、ハードウェアに基づいて部分的または完全に実装されてもよく、例えば、集積回路（IC : integrated circuit ）、特定用途向け集積回路（ASIC : application-specific integrated circuit）、システムオンチップ（SOC : system on chip）、フィールドプログラマブルゲートアレイ（FPGA : field programmable gate array）などとして実装されてもよい。本開示の範囲は、この態様に限定されない。
【０１１５】
図１３は、本開示の実施形態を実施するのに適したデバイス１３００の簡略ブロック図である。デバイス１３００は、図１に示されるネットワークデバイス１１０または端末デバイス１２０のさらなる例示的な実装とみなすことができる。したがって、デバイス１３００は、ネットワークデバイス１１０または端末デバイス１２０に、または、その少なくとも一部として、実装され得る。
【０１１６】
示されるように、デバイス１３００は、プロセッサ１３１０と、プロセッサ１３１０に接続されたメモリ１３２０と、プロセッサ１３１０に接続された適切な送信機（ＴＸ）および受信機（ＲＸ）１３４０と、ＴＸ／ＲＸ１３４０に接続された通信インターフェースとを含む。メモリ１３１０は、プログラム１３３０の少なくとも一部を格納する。ＴＸ／ＲＸ１３４０は、双方向通信用である。実際にはこのアプリケーションで言及されているアクセスノードは複数のアンテナを有していてもよいが、ＴＸ／ＲＸ１３４０は、通信を容易にするために、少なくとも１つのアンテナを有している。通信インターフェースは、ｅＮＢ間の双方向通信用のＸ２インターフェース、ＭＭＥ（Mobility Management Entity）／Ｓ−ＧＷ（Serving Gateway）とｅＮＢとの間の通信用のＳ１インターフェース、ｅＮＢとリレーノード（RN）との間の通信用のＵｎインターフェース、または、ｅＮＢと端末デバイスとの間のＵｕインターフェースなど、他のネットワーク要素との通信に必要なインターフェースを表してもよい。
【０１１７】
プログラム１３３０は、関連するプロセッサ１３１０によって実行されると、デバイス１３００が、図１−１１を参照して本明細書で説明されたように本開示の実施形態に従って、動作する、ことを可能にするプログラム命令を含むと想定される。本明細書の実施形態は、デバイス１３００のプロセッサ１３１０によって実行可能なコンピュータソフトウェアによって、または、ハードウェアによって、または、ソフトウェアとハードウェアとの組み合わせによって、実装され得る。プロセッサ１３１０は、本開示の様々な実施形態を実装するように構成され得る。さらに、プロセッサ１３１０とメモリ１３１０との組み合わせは、本開示の様々な実施形態を実装するように適合された、処理手段１３５０を形成し得る。
【０１１８】
メモリ１３１０は、ローカル技術ネットワークに適した任意のタイプのものであってもよく、また、非限定的な例として、非一時的なコンピュータ可読記憶媒体、半導体ベースメモリデバイス、磁気メモリデバイスおよびシステム、光学メモリデバイスおよびシステム、固定メモリ、並びに、リムーバブルメモリなどの、任意の適切なデータストレージ技術を使用して実装され得る。デバイス１３００には１つのメモリ１３１０のみが示されているが、デバイス１３００には、いくつかの物理的に異なるメモリモジュールがあってもよい。プロセッサ１３１０は、ローカル技術ネットワークに適した任意のタイプであってもよく、また、非限定的な例として、汎用コンピュータ、専用コンピュータ、マイクロプロセッサ、デジタル信号プロセッサ（DSP）、および、マルチコアプロセッサアーキテクチャに基づくプロセッサの１つ以上を含み得る。デバイス１３００は、メインプロセッサを同期させるクロックに時間的に従属する、特定用途向け集積回路チップ（application specific integrated circuit chip）などの複数のプロセッサを有してもよい。
【０１１９】
一般に、本開示の様々な実施形態は、ハードウェアまたは専用回路、ソフトウェア、ロジック、またはそれらの任意の組み合わせで実装され得る。いくつかの態様は、ハードウェアで実装されてもよく、他の態様は、コントローラ、マイクロプロセッサ、または他のコンピューティングデバイスによって実行され得る、ファームウェアまたはソフトウェアで実装されてもよい。本開示の実施形態の様々な態様は、ブロック図、フローチャート、またはいくつかの他の絵入り表現として、図示および説明されているが、本明細書で説明されるブロック、装置、システム、技術または方法は、非限定的な例として、ハードウェア、ソフトウェア、ファームウェア、専用回路、またはロジック、汎用ハードウェア、または、コントローラ、または、その他のコンピューティングデバイス、または、それらのいくつかの組み合わせで、実装されてもよい。
【０１２０】
本開示はまた、非一時的コンピュータ可読記憶媒体に有形に記憶された、少なくとも１つのコンピュータプログラム製品を提供する。コンピュータプログラム製品は、図１−１１のいずれかを参照して上述したプロセスまたは方法を実行するために、プログラムモジュールに含まれてターゲットの実プロセッサまたは仮想プロセッサ上のデバイスで実行される命令などの、コンピュータ実行可能命令を含む。通常、プログラムモジュールは、特定のタスクを実行したり特定の抽象データタイプを実装したりする、ルーチン、プログラム、ライブラリ、オブジェクト、クラス、コンポーネント、データ構造などを含む。プログラムモジュールの機能は、様々な実施形態で望まれるように、プログラムモジュール間で結合または分割されてもよい。プログラムモジュールのマシン実行可能命令は、ローカルまたは分散デバイス内で実行されてもよい。分散デバイスでは、プログラムモジュールは、ローカルとリモートの両方のストレージメディアに配置されてもよい。
【０１２１】
本開示の方法を実行するためのプログラムコードは、１つ以上のプログラミング言語の任意の組み合わせで書かれてもよい。これらのプログラムコードは、汎用コンピュータ、専用コンピュータ、またはその他のプログラム可能なデータ処理装置のプロセッサまたはコントローラに提供されてもよく、これにより、プログラムコードは、プロセッサまたはコントローラによって実行されると、フローチャートおよび／またはブロック図によって特定された上記の機能／動作が実行されるようにする。プログラムコードは、スタンドアロンソフトウェアパッケージとして、完全にマシン上で、一部はマシン上で、一部はマシン上で且つ一部はリモートマシン上で、または、完全にリモートマシンまたはサーバー上で、実行されてもよい。
【０１２２】
上記のプログラムコードは、命令実行システム、装置、またはデバイスによる、または、それらに関連した、使用のためのプログラムを含むまたは格納することができる、任意の有形媒体であり得るマシン可読媒体で、具現化され得る。マシン可読媒体は、マシン可読信号媒体またはマシン可読記憶媒体であり得る。マシン可読媒体は、電子、磁気、光学、電磁気、赤外線、または半導体のシステム、装置、またはデバイス、または、これらの任意の適切な組み合わせを含み得るが、これらに限定されない。マシン可読記憶媒体のより具体的な例には、１つまたは複数のワイヤを有する電気的接続、ポータブルコンピュータディスケット、ハードディスク、ランダムアクセスメモリ（RAM）、読み取り専用メモリ（ROM）、消去可能なプログラマブル読み取り専用メモリ（EPROMまたはフラッシュメモリ）、光ファイバ、ポータブルコンパクトディスク読み取り専用メモリ（CD-ROM）、光学式記憶デバイス、磁気記憶デバイス、または、これらの任意の適切な組み合わせを含む。
【０１２３】
さらに、動作は特定の順序で示されているが、これは、望ましい結果を達成するために、そのような動作が示された特定の順序または連続した順序で実行されること、または、すべての示された動作が実行されること、を必要とするものとして理解されるべきではない。特定の状況では、マルチタスクと並列処理が有利な場合がある。同様に、いくつかの特定の実装の詳細が上記の議論に含まれているが、これらは、本開示の範囲に対する制限としてではなく、特定の実施形態に特有の特徴の説明として解釈されるべきである。別個の実施形態の文脈で説明される特定の特徴は、単一の実施形態で組み合わせて実装されてもよい。逆に、単一の実施形態の文脈で説明される様々な特徴は、複数の実施形態で別々に、または任意の適切なサブコンビネーションで実装されてもよい。
【０１２４】
本開示は構造的特徴および／または方法論的行為に特有の言語で説明されたが、添付の特許請求の範囲で定義される本開示は、必ずしも上記の特定の特徴または行為に限定されないことを理解されたい。むしろ、上記の特定の特徴および行為は、特許請求の範囲を実施する例示的な形態として開示されている。
【図１】
0006879381.tif 000002
【図２】
0006879381.tif 000003
【図３Ａ】
0006879381.tif 000004
【図３Ｂ】
0006879381.tif 000005
【図３Ｃ】
0006879381.tif 000006
【図４Ａ】
0006879381.tif 000007
【図４Ｂ】
0006879381.tif 000008
【図５Ａ】
0006879381.tif 000009
【図５Ｂ】
0006879381.tif 000010
【図６Ａ】
0006879381.tif 000011
【図６Ｂ】
0006879381.tif 000012
【図７】
0006879381.tif 000013
【図８Ａ】
0006879381.tif 000014
【図８Ｂ】
0006879381.tif 000015
【図９】
0006879381.tif 000016
【図１０】
0006879381.tif 000017
【図１１】
0006879381.tif 000018
【図１２】
0006879381.tif 000019
【図１３】
0006879381.tif 000020